(57)【要約】      （修正有）【課題】指針本体とキャップとの意匠的な一体感が高く、且つ明瞭な発光ラインを得ることができる、スマートなデザインで見栄えの良い計器用指針を実現する。【解決手段】発光部（８２）を指針本体（６１）の表面のみに形成し、指針本体に対し基部（６５）の表面部分（６７）から後方に向けて延びる延長片（６９）を設け、指針本体において、指示部をスリットのうちキャップ（９５）の周壁部分に形成された側面開口に挿通し、基部の表面をスリットのうちキャップの表面部分に形成された表面開口を通してキャップの表面よりも表側に突出させ、反射面部（７５）をキャップ内に収容する一方、延長片をスリットの表面開口よりも後方でキャップの外側に配置して延長片により指針（１１）のテール部（３３）の表面を構成する。【選択図】図２
2019002886.tif 000002
【特許請求の範囲】
【請求項１】
表示盤に設けられた指標を指示する指針本体と、
前記指針本体の回転中心となる基部に装着されるキャップと、を備え、
前記指針本体の基部及び前記キャップからなる回転基部と、前記指針本体のうち前記基部から先端に向けて延びる指示部と、前記回転基部から後方に延びるテール部とを有し、
前記指針本体の基部に当該基部の裏面で受けた光を先端側へ反射させる反射面部が設けられ、前記指針本体の少なくとも前記基部及び前記指示部に光を外部に放つ発光部が設けられた計器用指針であって、
前記キャップの表面部分から周壁部分の前側にかけての箇所には、当該キャップの裏側に形成された裏面開口に繋がるスリットが形成され、
前記発光部は、前記指針本体の表面のみに形成されており、
前記指針本体は、前記基部の表面部分から前記反射面部に対応する箇所を後方に向けて延びる延長片を有し、
前記指針本体において、前記指示部は、前記スリットのうち前記キャップの周壁部分に形成された側面開口に挿通され、前記基部の表面は、前記スリットのうち前記キャップの表面部分に形成された表面開口を通して当該キャップの表面よりも表側に突出し、前記反射面部は、前記スリットの表面開口の幅よりも幅広に形成されて前記キャップ内に収容される一方、前記延長片は、前記スリットの表面開口よりも後方で前記キャップの外側に配置されて前記テール部の表面を構成しており、
前記指針本体及び前記キャップは、前記キャップを前記指針本体に装着する際に、前記指針本体を、前記延長片が前記スリットの表面開口に挿通されて表側に突出し且つ前記反射面部が前記キャップ内に位置する状態の先端下がりの傾斜姿勢から、前記基部を中心として前記指示部が表側に移動すると共に前記延長片が裏側に移動する後回り方向へ回転させることにより、所定の組付姿勢とすることが可能に構成されている
ことを特徴とする計器用指針。
【請求項２】
請求項１に記載された計器用指針において、
前記キャップの外周面のうち後側の部分には、後方に突出し且つ表側に開口した差入口を有するウエイト収容部が設けられ、
前記ウエイト収容部には、前記指針本体の重心位置を調整するバランスウエイトが収容され、
前記指針本体の前記延長片は、前記ウエイト収容部の前記差入口を覆って、前記バランスウエイトを隠蔽している
ことを特徴とする計器用指針。
【請求項３】
請求項２に記載された計器用指針において、
前記指針本体の前記反射面部と前記バランスウエイトとは、前記指針本体の回転軸心に沿う方向において重なり合っている
ことを特徴とする計器用指針。
【請求項４】
請求項１〜３のいずれか１項に記載された計器用指針において、
前記反射面部と前記延長片との間には、前記延長片の後側へ光を透過させる補強リブが設けられており、
前記発光部は、前記指針本体のうち前記指示部から前記延長片の前記補強リブに対応する部分にかけて形成されている
ことを特徴とする計器用指針。
【請求項５】
請求項１〜４のいずれか１項に記載された計器用指針において、
前記指針本体は、前記反射面部を備えた、透明性を有する針状導光体と、該針状導光体の外周を被覆した被覆層とによって、前記反射面部で反射した光を先端側に向けて導光するように構成されており、
前記被覆層の表面部分には、前記針状導光体内を導光された光を外部に放つ放光孔が形成されており、前記指針本体のうち前記放光孔が形成された部分は前記発光部を構成している
ことを特徴とする計器用指針。
【請求項６】
請求項１〜５のいずれか１項に記載された計器用指針において、
前記キャップの前記裏面開口を部分的に塞いで前記キャップ及び前記指針本体を支持する台座部材をさらに備え、
前記台座部材及び前記キャップは、前記指針本体の前記基部を保持し且つ前記表示盤上で回転可能に支持される保持具を構成し、
前記キャップのうち前記スリットの側面開口の両縁部分には、当該キャップの内方に突出した位置決め片がそれぞれ設けられており、
前記台座部材には、前記位置決め片を前記指針本体の前記指示部との間に挟んで、前記位置決め片同士の間隔が広がるのを規制する規制構造部が設けられている
ことを特徴とする計器用指針。
【請求項７】
請求項１〜６のいずれか１項に記載された計器用指針と、
前記表示盤と、
前記指針本体を発光させるための光を発する光源と、
前記計器用指針を前記表示盤の表面上で回転駆動させる駆動装置と、を備える
ことを特徴とする指示計器。
【発明の詳細な説明】
【技術分野】
【０００１】
本開示は、車両や船舶、航空機等の各種乗り物に搭載される計器用指針及びそれを備えた指示計器に関する。
【背景技術】
【０００２】
従来から、車両等に搭載される指示計器においては、夜間や暗がりでの指示位置の認知性を高めるために、目盛や数字、文字が設けられた表示盤を裏面側から照明して目盛り等を発光させると共に、それら目盛等を指示する指針自体も発光させるようになっているのが一般的である。この種の計器用指針として、回転中心となる正面視で円形の回転基部と、回転基部から先端に向けて延びる指示部と、回転基部から指示部とは反対側に突出したテール部とを備えた指針が知られている（例えば、特許文献１参照）。
【０００３】
こうした計器用指針は、透明な樹脂材料からなる指針本体と、指針本体のうち回転基部を構成する基部の下方に配置される台座部材と、指針本体の基部上側に装着されるキャップと、指針のバランスをとるバランスウエイトとで構成されている。指針本体は、基部から先端に向けて延びる部分で指示部を構成し、指示部と基部の表面側とが発光面とされている。そして、指針本体の基部の発光面は、キャップ本体の表面に形成されたスリットを通して外部に臨んでいる。また、キャップの後側には、バランスウエイトを収容するウエイト収容部が設けられている。ウエイト収容部は、キャップのうち正面視で円形のキャップ本体から後方に突出し、指針のテール部を構成している。
【先行技術文献】
【特許文献】
【０００４】
【特許文献１】特開２０１４−２１５２１６号公報
【発明の概要】
【発明が解決しようとする課題】
【０００５】
上述した従来の指針では、基部の表面側の発光面がキャップ表面のスリットの内側に配置されているため、発光面が発光させていないときにスリット内方に一段落ちた位置に窪んで見えることとなり、見栄えが良くない。さりとて、基部の表面側の発光面をスリットからキャップの表側に突出させた設計とすると、指示部の表面のみならずその側面も発光面とされているため、基部側面の発光面もキャップ外部に露出して側方を照らすこととなって、発光部の輪郭がぼやけてしまい、明瞭な発光ラインを得ることができない。
【０００６】
さらに、上述した従来の指針では、ウエイト収容部（テール部）がキャップの後側に存在するのが目立つため、指針本体とキャップとの意匠的な一体感が損なわれる。そこで、指針本体に基部から指針後方に延びる延長片を設け、延長片でテール部の表面側を構成することにより、指針本体とキャップとの意匠的な一体感を高めることが考えられるが、そうした延長片は光漏れを防止するために基部と同様にキャップで周囲を囲う必要があり、その分だけテール部での幅が太くなるため、スマートなデザインの指針を実現するのが困難である。
【０００７】
また、指針本体は、基部の裏側部分が光を多く取り込むべく発光部よりも幅広に形成されているのが通常であるため、キャップの上側からスリットを通して組み付けることができず、キャップは、指針に上方から被せられて装着される。しかし、そのような指針へのキャップの組付け構造によると、キャップを１ピースで構成する場合、キャップには延長片を囲わないまでも裏側から表側に通すための中空の突出部分（ウエイト収容部に相当する部分）を設ける必要があり、その分だけテール部での幅が太くなるし、その突出部分の表側端面が正面視でそのまま見えるため、見栄えが良くない。
【０００８】
本開示の技術は、斯かる点に鑑みてなされたものであり、その目的とするところは、指針本体とキャップとの意匠的な一体感が高く、且つ明瞭な発光ラインを得ることができる、スマートなデザインで見栄えの良い計器用指針を実現することにある。
【課題を解決するための手段】
【０００９】
上記の目的を達成するために、本開示の技術では、発光部を指針本体の表面のみに形成し、指針本体に対し基部の表面部分から後方に向けて延びる延長片を設け、指針本体において、基部の表面をスリットのうちキャップの表面部分に形成された表面開口を通して当該キャップの表面よりも表側に突出させ、反射面部をキャップ内に収容する一方、延長片をスリットの表面開口よりも後方でキャップの外側に配置して延長片により指針のテール部の表面を構成するようにした。
【００１０】
具体的には、本開示の技術は、表示盤に設けられた指標を指示する指針本体と、指針本体の回転中心となる基部に装着されるキャップとを備え、指針本体の基部及びキャップからなる回転基部と、指針本体のうち基部から先端に向けて延びる指示部と、回転基部から後方に延びるテール部とを有し、指針本体の基部に当該基部の裏面で受けた光を先端側へ反射させる反射面部が設けられ、指針本体の少なくとも基部及び指示部に光を外部に放つ発光部が設けられた計器用指針、及びそれを備えた指示計器を対象とする。
【００１１】
キャップの表面部分から周壁部分の前側にかけての箇所には、当該キャップの裏側に形成された裏面開口に繋がるスリットが形成されている。発光部は、指針本体の表面のみに形成されている。指針本体は、基部の表面部分から反射面部に対応する箇所を後方に向けて延びる延長片を有する。指針本体の指示部は、スリットのうちキャップの周壁部分に形成された側面開口に挿通されている。指針本体の基部の表面は、スリットのうちキャップの表面部分に形成された表面開口を通して当該キャップの表面よりも表側に突出している。
【００１２】
指針本体のうち反射面部は、スリットの表面開口の幅よりも幅広に形成されてキャップ内に収容される一方、延長片は、スリットの表面開口よりも後方でキャップの外側に配置されている。そして、指針本体及びキャップは、キャップを指針本体に装着する際に、指針本体を、延長片がスリットの表面開口に挿通されて表側に突出し且つ反射面部がキャップ内に位置する状態の先端下がりの傾斜姿勢から、基部を中心として指示部が表側に移動すると共に延長片が裏側に移動する後回り方向へ回転させることにより、所定の組付姿勢とすることが可能に構成されている。
【００１３】
この構成によると、指針本体の基部の表面を、スリットのうちキャップの表面部分に形成された表面開口を通して当該キャップの表面よりも表側に突出させるようにしたから、指針本体の基部の表面に設けられた発光部が、発光していないときは物理的に突出して見え、窪んで見える場合よりも指針の見栄えを良くできる。そして、発光部を指針本体の表面のみに形成するようにしたので、指針本体の指示部の側面からも基部のうちスリットの表面開口から突出した部分の側面からも光漏れが生じることがなく、発光部の輪郭をはっきりさせることができ、明瞭な発光ラインを得ることができる。
【００１４】
また、指針本体に対し基部の表面部分から反射面部に対応する箇所を後方に向けて延びる延長片を設け、延長片をスリットの表面開口よりも後方でキャップの外側に配置して、延長片によって指針のテール部の表面を構成するようにしたから、指針本体とキャップとの意匠的な一体感を高めることができる。さらに、指針本体をキャップのスリットの表面開口に延長片を挿通させた先端下がりの傾斜姿勢から後回りに回転させることにより所定の組付姿勢としてキャップを指針本体に装着するようにしたから、キャップに延長片と共にテール部を構成するウエイト収容部やそれに相当する突出部分を設ける場合においても、その突出部分の表側端面の一部又は全体を延長片によって隠蔽することができ、それによっても指針の見栄えを良くできる。
【００１５】
上記のような計器用指針において、キャップの外周面のうち後側の部分に、後方に突出し且つ表側に開口した差入口を有するウエイト収容部が設けられており、ウエイト収容部に、指針本体の重心位置を調整するバランスウエイトが収容されていてもよい。この場合、指針本体の延長片は、ウエイト収容部の差入口を覆って、バランスウエイトを隠蔽していることが好ましい。
【００１６】
この構成によると、バランスウエイトをウエイト収容部に表側の差入口から差し入れることにより収容するようにしたから、バランスウエイトをウエイト収容部に簡単に収容することができ、指針の組立てを容易化することができる。そして、ウエイト収容部の差入口を指針本体の延長片によって覆うようにしたので、指針本体とは別個にウエイト収容部の差入口を覆う部品を設けなくて済む。
【００１７】
指針本体の反射面部とバランスウエイトとは、指針本体の回転軸心に沿う方向において重なり合っていることが好ましい。
【００１８】
この構成によると、指針の指示部が比較的長く形成されていても、バランスウエイトが指針本体の反射面部に重なっている分だけテール部を短くすることができ、指示部に比べてテール部が長過ぎないバランスのとれた指針を実現できる。
【００１９】
指針本体における反射面部と延長片との間には、延長片の後側へ光を透過させる補強リブが設けられており、指針本体の発光部は、延長片のうち補強リブに対応する部分にも形成されていることが好ましい。
【００２０】
この構成によると、針状導光体に反射面部と延長片との間に位置する補強リブとを設け、補強リブを通して延長片の後側へ光が透過するようにしたから、延長片のうち反射面部に対応する箇所も発光させることができ、延長片にまで延びる長い発光ラインを形成することができる。
【００２１】
指針本体は、反射面部を備えた、透明性を有する針状導光体と、針状導光体の外周を被覆した被覆膜とによって、反射面部で反射した光を先端に向けて導光するように構成されていてもよい。この場合、被覆膜の表面部分に、針状導光体内を導光された光を外部に放つ放光孔が形成されており、指針本体のうち放光孔が形成された部分は発光部を構成していることが好ましい。
【００２２】
この構成によると、発光部が表面のみに形成された指針本体を具体的に実現することができ、指針の小型化、細径化及び軽量化を図ることができる。
【００２３】
計器用指針は、キャップの裏面開口を部分的に塞いでキャップ及び指針本体を支持する台座部材をさらに備えていてもよい。この場合、台座部材及びキャップは、指針本体の基部を保持し且つ表示盤上で回転可能に支持される保持具を構成する。そして、キャップのうちスリットの側面開口の両縁部分には、当該キャップの内方に突出した位置決め片がそれぞれ設けられており、台座部材には、位置決め片を指針本体の指示部との間に挟んで、位置決め片同士の間隔が広がるのを規制する規制構造部が設けられていることが好ましい。
【００２４】
この構成によると、台座部材に対しキャップの側面開口の両縁部分に設けられた位置決め片同士の間隔が広がるのを規制する規制構造部を設けるようにしたので、指針本体と保持具とを組み立てた後は規制構造部によってスリットが広がるのを防止でき、指針として堅固な構成を実現することができる。
【００２５】
また、本開示の技術に係る指示計器は、上述した計器用指針と、指標が設けられた表示盤と、指針本体を発光させるための光を発する光源と、計器用指針を表示盤の表面上で回転駆動させる駆動装置とを備える。
【００２６】
この構成によると、上述した計器用指針が、指針本体とキャップとの意匠的な一体感が高く、且つ明瞭な発光ラインを得られる、スマートなデザインで見栄えの良い指針を実現できる、という優れた特性を備えているので、指針から漏れた光が表示盤を照らすことで生じるハレーションや指針先端で点状に光輝するスポット等の現象が生じず、指針の発光輝度が高くて指示位置の視認性が良い指示計器を実現することができる。
【発明の効果】
【００２７】
上記構成の計器用指針によれば、指針本体とキャップとの意匠的な一体感が高く、且つ明瞭な発光ラインを得られる、スマートなデザインで見栄えの良い指針を実現することができる。そして、この指針を備えた指示計器によれば、指針から漏れた光が表示盤を照らすことで生じるハレーションや指針先端で点状に光輝するスポット等の現象が生じず、指針の発光輝度が高くて指示位置の視認性が良い指示計器を実現することができる。
【図面の簡単な説明】
【００２８】
【図１】実施形態に係る車両用の指示計器を示す正面図である。
【図２】図１のII−II線における指示計器の断面図である。
【図３】実施形態に係る計器用指針の斜視図である。
【図４】図３のIV−IV線における計器用指針の断面図である。
【図５】実施形態に係る計器用指針の分解斜視図である。
【図６】実施形態に係る計器用指針の台座部材を取り外した状態の底面図である。
【図７】実施形態に係る計器用指針の台座部材を示す正面図である。
【図８】実施形態に係る計器用指針の組立て作業において、キャップにバランスウエイトを挿入する様子を示す工程図である。
【図９】実施形態に係る計器用指針の組立て作業において、キャップに指針本体を組み付ける際の様子を示す工程図である。
【図１０】実施形態に係る計器用指針の組立て作業において、キャップに指針本体を組み付ける際の様子を示す工程図である。
【図１１】実施形態に係る計器用指針の組立て作業において、指針本体に装着したキャップに台座部材を取り付ける際の様子を示す工程図である。
【図１２】変形例に係る計器用指針の図４相当図である。
【発明を実施するための形態】
【００２９】
以下、例示的な実施形態を図面に基づいて詳細に説明する。なお、以下の実施形態では、説明の便宜上、計器用指針の長手方向における先端側を「前」、後側を「後」と称し、指示計器を正面視したとき、つまり視認者（運転者）が指示計器を正面から見て指示値を確認するときの手前側を「表」、奥側を「裏」と称する。
【００３０】
この実施形態では、本開示の技術ついて、自動車の各種情報を表示するコンビネーションメータとして、インストルメントパネルの運転席前の部分に設置される指示計器を例に挙げて説明する。
【００３１】
− 指示計器の構成 −
図１に、指示計器１の正面図を示す。図２に、図１のII−II線における指示計器１の断面図を示す。
【００３２】
指示計器１は、図１に示すように、走行速度を表示するスピードメータ３と、エンジンの回転数を表示するタコメータ５と、その他の情報を表示する複数（図示する例では３つ）のディスプレイ、具体的には、燃料の残量やエンジン水温、走行可能距離、充電系（バッテリ）やエンジンのエラー情報等を表示する大型のディスプレイ７と、ギア位置等を表示する小型のディスプレイ８と、総走行距離等を表示する小型のディスプレイ９と、各種エラーや警告の表示を行うランプ類（不図示）とを備える。
【００３３】
スピードメータ３は、指示計器１の中央に配置されている。タコメータ５は、スピードメータ３の左側に配置されている。これらスピードメータ３及びタコメータ５は、いずれも計器用指針１１を用いたアナログ式（指針式）の装置である。ディスプレイ７，８，９は、それぞれ液晶ディスプレイ又は有機ＥＬ（Electro Luminescence）ディスプレイからなる。ディスプレイ７は、スピードメータ３の右側に配置されている。ディスプレイ８はスピードメータ３の下側部分に、ディスプレイ９はタコメータ５の下側部分にそれぞれ配置されている。
【００３４】
指示計器１は、図１及び図２に示すように、主として、上記スピードメータ３用及びタコメータ５用の２つの指針１１と、指針１１によって指示される目盛１３及び文字１５からなる指標１７が表面に設けられた表示盤１９と、表示盤１９の裏側に配置された照明用の光源２１と、表示盤１９の表面上で指針１１を回転駆動させる駆動装置２３と、光源２１及び駆動装置２３の動作を制御するプリント回路基板２５と、これらを収容するケーシング２７とを備える。
【００３５】
指針１１は、樹脂材料で形成されて細長針状を呈しており、自動車に搭載されたセンサを用いて計測された計測値に応じて所定の指標を指し示すものである。この指針１１は、回転中心となる正面視で円形をなす回転基部２９と、回転基部２９から先端に向かって延びる指示部３１と、回転基部２９から後側に突出したテール部３３とを備えたデザインとされていて、回転基部２９から指示部３１にかけての略全長が縁取りされた領域で発光するように構成されている。この指針１１の構成については後に詳述する。
【００３６】
表示盤１９は、各々円形に設定された、中央に位置するスピードメータ領域３５と、左側に位置するタコメータ領域３７と、右側に位置するディスプレイ配置領域３９とを有している。スピードメータ領域３５には車速を示す指標１７（目盛１３及び数字１５）が、タコメータ領域３７にはエンジン回転数を示す指標１７（目盛１３及び数字１５）が、それぞれ対応する指針１１の回転軸を中心として時計回りに値が増すように円弧状に配列されている。
【００３７】
さらに、これらスピードメータ領域３５及びタコメータ領域３７の下側には、ディスプレイ８，９の画面に対応するサイズの矩形状に表示窓４１がそれぞれ形成されている。また、ディスプレイ配置領域３９の中央には、ディスプレイ７の画面に対応するサイズの矩形状に表示窓４３が形成されている。これら表示窓４１，４３は、対応するディスプレイ７，８，９を正面側に覗かせるための開口である。
【００３８】
この表示盤１９は、透光性を有する板材４５と、板材４５の表面に形成された遮光性を有する印刷層４７とによって構成されており、指示計器１の外形に対応した形状とされている。板材４５は、射出成形などによって形成されており、例えばアクリル樹脂やポリカーボネート樹脂からなる。印刷層４７は、樹脂材料による型成形、インク材による印刷成形、又は樹脂材料からなるシート材の貼付けなどによって形成されている。
【００３９】
板材４５と印刷層４７とは、互いにコントラストを持たせた配色とされている。具体的には、板材４５は、白色等の明度の高い色に着色されており、印刷層４７は、グレー色や黒色等の明度の低い色に着色されている。指標１７は、印刷層４７が目盛１３及び数字１５を象る形状に抜かれることで形成されている。すなわち、表示盤１９の指標１７が形成された部分には印刷層４７が設けられていない。これにより、指標１７は、表示盤１９の裏側から照射された光を表側に透過するようになっている。
【００４０】
光源２１は、表示盤１９を照明するのに用いられる表示盤用の光源４９と、指針１１を照明するのに用いられる指針用の光源５１とである。これら表示盤用及び指針用の光源４９，５１は、チップタイプのＬＥＤ（Light Emitting Diode）によって構成されており、プリント回路基板２５の表側に実装されている。
【００４１】
表示盤用の光源４９は、スピードメータ領域３５及びタコメータ領域３７の外周に沿い大径の円周上において等間隔に複数配置されていて、表示盤１９の指標１７の形成箇所に裏側から光を照射するようになっている。指針用の光源５１は、指針１１の回転軸心周りの小径の円周上において等間隔に複数配置されていて、表示盤１９に形成された貫通孔５２を通して指針１１に光を照射するようになっている。
【００４２】
駆動装置２３は、ステッピングモータと減速歯車機構との組合せによって構成されており、プリント回路基板２５の裏側に実装されている。この駆動装置２３は、プリント回路基板２５に設けられた後述の制御回路５７による制御の下で回転駆動される回転軸５３を備える。回転軸５３は、プリント回路基板２５に形成された通孔５５に挿通されて表側に延び出ており、指針１１の回転基部２９に連結されている。駆動装置２３は、その回転軸５３の回転駆動を以て指針１１を所定の位置にまで回転させるようになっている。
【００４３】
プリント回路基板２５は、絶縁性を有する基材に対し、各種配線が印刷されていると共に、上記光源４９，５１や駆動装置２３の他、各種電子部品が実装された構成を有する。各種電子部品には、マイクロコンピュータからなる制御回路５７を含む。制御回路５７は、自動車のＥＣＵ（Engine Control Unit）により車速やエンジン回転数、イグニッションスイッチのＯＮ／ＯＦＦなどの車両情報を取得し、取得した情報に基づいて、光源４９，５１を点灯や消灯させたり、駆動装置２３を動作させて指針１１を回転させたりするようになっている。
【００４４】
− 指針の構成 −
図３に、指針１１の斜視図を示す。図４に、図３のIV−IV線における指針１１の断面図を示す。図５に、指針１１の分解斜視図を示す。図６に、指針１１の台座部材９９を取り外した状態の底面図を示す。また、図７に、指針１１の台座部材９９の正面図を示す。
【００４５】
指針１１は、図３及び図５に示すように、表示盤１９の指標１７を指示する指針本体６１と、指針本体６１の後端側（一端側）を保持し且つ表示盤１９上で回転可能に支持される保持具６３とを備える。そして、指針本体６１は、指針１１の回転基部２９を構成する基部６５の裏面で受けた光を、先端側に向けて内部で導光し、表面から外部に放つことにより発光するように構成されている。
【００４６】
具体的には、指針本体６１は、上記基部６５と、基部６５から先端に向けて延びる指示部３１と、基部６５の表面部分６７から後方に向けて延びる延長片６９とを備える。指針１１の基部６５は、正面視で後方に向けて広がる扇状に形成されたブロック部分７１を有している。基部６５の表面部分６７は、このブロック部分７１から表側に突出していて、指示部３１の表面部分に連続する帯板状に形成されている。
【００４７】
ブロック部分７１の両側面には、保持具６３に位置決めするための位置決め突起７２が前後方向に間隔をあけて一対にそれぞれ設けられている。また、ブロック部分７１の裏面の後側部分には、図２及び図６に示すように、裏側から照射された光を受ける受光部７３が設けられている。この受光部７３は、ブロック部分７１の裏面におけるその他の部分に比べて裏側に突出している。
【００４８】
さらに、ブロック部分７１には、受光部７３にて受けた光を先端側に向けて反射させる反射面部７５が設けられている。反射面部７５は、表面部分６７の幅方向における両側に設けられた平坦面部７７から後方に向かうに従い裏側に延びており、ブロック部分７１の扇状外周部分に相当する形状に形成されている。そして、反射面部７５は、指示部３１の裏面に臨む内面７９を有し、その内面７９で受光部７３から進入した光を指示部３１へと反射するようになっている。
【００４９】
指針本体６１の基部６５のうち反射面部７５と延長片６９との間には、側面視で三角形状の補強リブ８１が設けられている。補強リブ８１は、延長片６９の根元の剛性を補強すると共に、反射面部７５の外面と延長片６９の裏面とを繋いでいて、基部６５に進入した光を延長片６９の後側へ透過させる役割も果たす。
【００５０】
そして、指針本体６１の指示部３１表面には、反射面部７５で反射された光を外部に放つ発光部８２が設けられている。指示部３１は、基部６５から先端に向かって幅が僅かに狭くなり且つ高さが次第に低くなる先細り形状とされている。これにより、反射面部７５にて反射された光は、指示部３１の先端に向かうに連れて発光部８２に多く導かれるようになり、発光部８２を先端側にまで均一な輝度で発光させるようになっている。
【００５１】
この発光部８２は、指針本体６１の基部６５の表面部分６７から延長片６９のうち補強リブ８１に対応する部分にも設けられている。つまり、発光部８２は、指針本体６１のうち指示部３１から基部６５にかけての表面、さらには延長片６９の補強リブ８１に対応する部分に亘る表面に形成されており、指針本体６１においてその先端と延長片６９の後側部分を除く略全長に亘って直線状に延びている。
【００５２】
指針本体６１の基部６５に受光部７３から進入した光は、反射面部７５の内面７９によって指示部３１に向けて反射されるが、その反射光の一部は、基部６５裏面などで表側へと反射された後に、反射面部７５と延長片６９との間に設けられた補強リブ８１を通して延長片６９の後側へ透過するから、発光部８２は、保持具６３（後述するキャップ９５）の装着部分、さらには延長片６９のうち反射面部７５に対応する箇所でも発光し、比較的長い発光ラインを呈する。
【００５３】
上記構造の指針本体６１は、図２及び図４に示すように、ベースとなる透明な針状導光体８３と、針状導光体８３の外周面を被覆した被覆膜８５とによって構成されている。被覆膜８５は、光透過性及び光反射性を有する色の付いた半透過着色層８７と、半透過着色層８７の外周面に設けられた遮光性を有する外被層としてのトップコート層８９とによって構成されている。
【００５４】
針状導光体８３は、射出成形などによって成形されており、透明度が比較的高いポリメタクリル酸メチル樹脂（ＰＭＭＡ）からなる。半透過着色層８７及びトップコート層８９は、スプレー塗装、静電塗装、刷毛塗り、浸漬塗装などの公知の塗装方法を用いて形成されている。このように、被覆膜８５には、ホットスタンプ印刷などの過度な加熱を伴う方法により形成される層は含まれていない。
【００５５】
半透過着色層８７は、例えば、熱硬化型塗料や紫外線硬化型塗料などの材料からなる。この半透過着色層８７は、トップコート層８９と針状導光体８３との間の接着性を向上させるプライマー層を兼ねており、トップコート層８９が剥がれるのを防止している。
【００５６】
この半透過着色層８７には明色系の色が付けられている。ここでいう「明色系の色」とは、マンセル表色系における明度が６〜１０に相当する色を意味する。この実施形態では、半透過着色層８７の色は白色とされている。それにより、発光部８２の色調が白色に表現されると共に、針状導光体８３の内部が透過して見えないようになっている。また、針状導光体８３内を通る光が、半透過着色層８７との界面で良好に反射されて先端にまで導光されるようになっている。
【００５７】
他方、トップコート層８９は、例えば、熱硬化型塗料や紫外線硬化型塗料などの材料からなる。このトップコート層８９には暗色系の色が付けられている。ここでいう「暗色系の色」とは、マンセル表色系における明度が０〜５に相当する色を意味する。この実施形態では、トップコート層８９の色はグレー色や黒色とされている。
【００５８】
指針本体６１の受光部７３は、被覆膜８５が抜かれることで形成されている。すなわち、指針本体６１の受光部７３では、被覆膜８５が設けられておらず、針状導光体８３が露出している。また、被覆膜８５の表面部分には、針状導光体８３内を導光された光を外部に放つ放光孔９１が設けられている。
【００５９】
放光孔９１は、レーザー加工（レーザートリミング）により指針本体６１の表面部分の長手方向における略全体に亘って形成されており、指針本体６１の表面に残した被覆膜８５部分で外周が囲まれた一条のスリット状とされている。この放光孔９１は、トップコート層８９を貫通し、且つ半透過着色層８７に凹部９３をなす深さに形成されている。発光部８２は、指針本体６１のうち放光孔９１が形成された部分によって構成されている。
【００６０】
保持具６３は、指針本体６１の基部６５に装着されるキャップ９５と、キャップ９５の裏側にある裏面開口９７を部分的に塞いでキャップ９５及び指針本体６１を支持する台座部材９９とを備える。
【００６１】
キャップ９５は、図３、図５及び図６に示すように、指針本体６１の基部６５と共に指針１１の回転基部２９を構成し、その回転基部２９の外形（正面視で円形）を形成している。そして、このキャップ９５は、指針本体６１のブロック部分７１を内部に収容すると共に、当該基部６５の表面部分６７を外部に露出させるようになっている。
【００６２】
具体的には、キャップ９５の表面部分から周壁部分の前側にかけての箇所には、裏面開口９７に繋がるスリット１０１が形成されている。このスリット１０１は、キャップ９５の表面部分に形成された表面開口１０３と、キャップ９５の周壁部分に形成された側面開口１０５とによって構成されている。指針本体６１の指示部３１は、スリット１０１の側面開口１０５に挿通されてキャップ９５内から外側に延び出ている。また、指針本体６１の基部６５の表面部分６７は、スリット１０１の表面開口１０３を通してキャップ９５の表面よりも表側に突出している。
【００６３】
キャップ９５の内側には、当該キャップ９５の内周面に沿って高さ方向に延びる位置決めピン１０７が設けられている。位置決めピン１０７は、スリット１０１の表面開口１０３の両側においてキャップ９５の内周面に沿う方向に間隔をあけて一対に配置されており、それぞれ指針１１の幅方向において位置決め突起７２と対峙する。さらに、キャップ９５のうち側面開口１０５の両縁部分には、キャップ９５の内方（後方）に突出した位置決め片１０９が一対に設けられている。
【００６４】
キャップ９５の周壁部分のうち後側の部分には、後方に突出したウエイト収容部１１１が設けられている。ウエイト収容部１１１は、表側に開口した差入口１１３を有している。そして、ウエイト収容部１１１には、その差入口１１３から差し入れられたバランスウエイト１１５が収容されている。バランスウエイト１１５は、樹脂製や金属製の板状物からなり、指針１１の重心位置を回転軸心又はその付近に調整するものである。
【００６５】
ウエイト収容部１１１の差入口１１３は、スリット１０１の表面開口１０３に連続しており、指針本体６１の延長片６９によって覆われている。すなわち、指針本体６１の延長片６９は、ウエイト収容部１１１内のバランスウエイト１１５を隠蔽している。指針本体６１の延長片６９とウエイト収容部１１１とは、正面視で互いの外形が一致していて、指針１１のテール部３３を構成している。その中でも延長片６９は、テール部３３の表面全体を構成している。
【００６６】
ウエイト収容部１１１の底面部分の後側には位置決め孔１１７が形成されている。バランスウエイト１１５の裏側の後方部分には位置決め凸部１１９が設けられている。バランスウエイト１１５は、その位置決め凸部１１９を位置決め孔１１７に挿入することにより、ウエイト収容部１１１内で位置決めされている。バランスウエイト１１５の裏側の前方部分には、指針本体６１の反射面部７５の外面に倣う傾斜面１２１が形成されている。
【００６７】
バランスウエイト１１５のうち傾斜面１２１に対応する部分は、指針本体６１の反射面部７５と延長片６９との間に入り込んでおり、指針本体６１の回転軸心に沿う方向において反射面部７５と重なり合っている。このようなバランスウエイト１１５の配置によれば、指示部３１が比較的長く形成されていても、バランスウエイト１１５が指針本体６１の反射面部７５に重なっている分だけテール部３３を短くすることができ、指示部３１に比べてテール部３３が長過ぎないバランスのとれた指針１１を実現できる。
【００６８】
指針本体６１のブロック部分７１は、台座部材９９が取り付けられていない状態においては、キャップ９５の内部空間で、スリット１０１の側面開口１０５に対して指示部３１をスライドにより挿抜する方向へ回転させることが可能になっている。そして、指針本体６１及びキャップ９５は、キャップ９５を指針本体６１に装着する際に、指針本体６１を、延長片６９がスリット１０１の表面開口１０３に挿通されて表側に突出し且つ反射面部７５がキャップ９５内に位置する状態の先端下がりの傾斜姿勢から、基部６５或いはその付近を中心として指示部３１が表側に移動すると共に延長片６９が裏側に移動する後回り方向へ回転させることにより、所定の組付姿勢とすることが可能に構成されている。
【００６９】
台座部材９９は、図５及び図７に示すように、ベース板部１２３と、ベース板部１２３の表側に突出した位置決め片としての後側突片１２５及び前側突片１２７と、ベース板部１２３の前側に設けられた支持舌片１２９とを備える。
【００７０】
ベース板部１２３は、キャップ９５の裏面開口９７のうち指針本体６１の受光部７３を除く部分に相当する形状とされている。ベース板部１２３には、後方に開放された開放部１３１が形成されている。開放部１３１には、指針本体６１の受光部７３が嵌め入れられるようになっている。受光部７３は、その開放部１３１を通して保持具６３から裏側に露出する。
【００７１】
ベース板部１２３の外周縁部分には、外側方に開放されたピン孔１３３が形成されている。ピン孔１３３は、指針１１の幅方向における両側において前後方向に間隔をあけて一対に配置されている。さらに、ベース板部１２３のうち支持舌片１２９の両側には、前方に開放された嵌入孔１３５がそれぞれ形成されている。また、ベース板部１２３の裏面にはボス１３６が設けられている。ボス１３６には、駆動装置２３の回転軸５３が挿入されて連結されている。
【００７２】
後側突片１２５は、ピン孔１３３の間で小片板状に形成されており、一対の位置決めピン１０７の間と一対の位置決め突起７２の間とに挿入されて、指針本体６１の位置決め突起７２と位置決めピン１０７とを指針１１の幅方向に揃えるようになっている。前側突片１２７は、正面視で略三角形状のブロック片であり、指針本体６１の位置決め突起７２及び位置決めピン１０７と位置決め片１０９との間に挿入されて、位置決め片１０９を指針本体６１の指示部３１との間に挟むようになっている。そして、これら一対の前側突片１２７は、規制構造部の一例であり、両方の位置決め片１０９を挟むことでこれら位置決め片１０９同士の間隔、つまりは側面開口１０５の幅が広がるのを規制する役割を果たす。
【００７３】
後側突片１２５及び前側突片１２７は、ベース板部１２３のうち指針１１の幅方向における両側にそれぞれ設けられている。これら後側突片１２５と前側突片１２７とは前後方向に間隔をあけて配置されている。支持舌片１２９は、スリット１０１の側面開口１０５の開口幅と概ね同じ幅を有し、側面開口１０５に嵌め入れられて側面開口１０５の裏側の開放端を閉塞する。
【００７４】
台座部材９９は、各ピン孔１３３を対応する位置決めピン１０７に、各嵌入孔１３５を対応する位置決め片１０９に、支持舌片１２９をスリット１０１の側面開口１０５にそれぞれ嵌め入れると共に、開放部１３１に指針本体６１の受光部７３を嵌め入れて、振動溶着などの公知の方法によりキャップ９５に固定されている。この台座部材９９は、キャップ９５の位置決めピン１０７や位置決め片１０９、指針本体６１の位置決め突起７２と協働することで、指針本体６１をキャップ９５内にしっかりと保持する。
【００７５】
− 指針の組立て手順 −
図８に、指針１１の組立て作業においてキャップ９５にバランスウエイト１１５を挿入する様子を示す。図９に、指針１１の組立て作業においてキャップ９５に指針本体６１を組み付ける際の様子を示す。図１０に、指針１１の組立て作業においてキャップ９５に指針本体６１を組み付ける際の様子を示す。また、図１１に、指針１１の組立て作業において指針本体６１に装着したキャップ９５に台座部材９９を取り付ける際の様子を示す。
【００７６】
上記構成の指針１１を組み立てるには、まず、図８に示すように、キャップ９５のウエイト収容部１１１にバランスウエイト１１５を差入口１１３から差し入れることにより収容する。次いで、図９に示すように、指針本体６１の延長片６９を、キャップ９５の裏面開口９７に裏側から差し入れるか、又はスリット１０１の側面開口１０５から後方へスライド挿入することにより、スリット１０１の表面開口１０３に挿通させる。このとき、指針本体６１は、延長片６９が表面開口１０３から表側へ突出し、且つ反射面部７５を含むブロック部分７１がキャップ９５内に位置する先端下がりの傾斜姿勢を採る。
【００７７】
続いて、図１０に示すように、指針本体６１を、先端下がりの傾斜姿勢から、基部６５或いはその付近を中心として後回り方向へ回転させることにより、指示部３１を表側に移動させると共に、延長片６９を裏側に移動させる。このように指針本体６１を後回りに回転させると、指示部３１がスリット１０１の側面開口１０５に裏側の開放端から表側に挿入されていき、やがて延長片６９の裏面がウエイト収容部１１１の表側端部に当接して差入口１１３を塞ぐ位置となり、指針本体６１が、基部６５の表面部分６７をスリット１０１の表面開口１０３を通して表側に突出させた所定の組付姿勢となる。
【００７８】
しかる後、図１１に示すように、指針本体６１に装着されたキャップ１０１の裏面開口９７に台座部材９９を挿入し、その台座部材９９を振動溶着などの公知の方法によりキャップ９５に接合する。以上の作業工程を経て、指針１１を組み立てることができる。
【００７９】
− 実施形態の効果 −
この実施形態に係る指針１１によれば、指針本体６１の基部６５の表面を、スリット１０１の表面開口１０３を通してキャップ９５の表面よりも表側に突出させるようにしたから、指針本体６１の基部６５の表面に設けられた発光部８２が、発光していないときは物理的に突出して見え、窪んで見える場合よりも指針１１の見栄えを良くできる。そして、発光部８２を指針本体６１の表面のみに形成するようにしたので、指針本体６１の指示部３１の側面からも基部６５のうちスリット１０１の表面開口１０３から突出した表面部分６７の側面からも光漏れが生じることがなく、発光部８２の輪郭をはっきりさせることができ、明瞭な発光ラインを得ることができる。
【００８０】
また、指針本体６１に対し基部６５の表面部分６７から反射面部７５に対応する箇所を後方に向けて延びる延長片６９を設け、延長片６９をスリット１０１の表面開口１０３よりも後方でキャップ９５の外側に配置して、延長片６９によって指針１１のテール部３３の表面を構成するようにしたから、指針本体６１とキャップ９５との意匠的な一体感を高めることができる。さらに、指針本体６１をキャップ９５のスリット１０１の表面開口１０３に延長片６９を挿通させた先端下がりの傾斜姿勢から後回りに回転させることにより所定の組付姿勢としてキャップ９５を指針本体６１に装着するようにしたから、キャップ９５に設けられたウエイト収容部１１１の表側端面の全体を延長片６９によって隠蔽することができ、それによっても指針１１の見栄えを良くできる。
【００８１】
また、指針本体６１の構成として、遮光性を有する被覆膜８５で針状導光体８３の外周面を覆い、被覆膜８５に形成された放光孔９１から針状導光体８３内を通した光を外部に取り出す構成を採用したので、指針本体の全体にカバー部材が装着された構成の指針に比べて、指針１１の小型化、細径化及び軽量化を図ることができる。しかも、針状導光体８３内を導光された光は放光孔９１からしか外部に出ることができないから、指針本体６１のうち放光孔９１が形成された箇所、つまり発光部８２以外の部分からの光漏れを防止することができる。
【００８２】
さらに、被覆膜８５の構成として、針状導光体８３に比べて光エネルギーを吸収しやすい半透過着色層８７を、遮光性を有するトップコート層８９と針状導光体８３との間に設ける構成を採用したので、トップコート層８９を半透過着色層８７の表面部分ともどもレーザーで好適に除去することができる。それにより、放光孔９１が半透過着色層８７に凹部９３をなす深さで形成されているので、放光孔９１のエッジを綺麗に仕上げることができ、スムーズなラインの発光を得ることができる。以上により、シャープでスマートなデザインの指針１１を実現することができる。
【００８３】
また、この実施形態に係る指針１１によれば、半透過着色層８７に接着性向上を図るプライマー層としての機能を備えさせるようにしたので、簡単な構成で指針１１表面からトップコート層８９が剥がれるのを防止することができる。これにより、半透過着色層８７とは別にプライマー層を形成する手間を省いて製造効率を上げることができ、且つ製品の不良発生を抑えて長期に亘り光漏れのない指針１１を実現することができる。
【００８４】
そして、この実施形態に係る指示計器１によれば、上述した指針１１が、指針本体６１とキャップ９５との意匠的な一体感が高い上に、発光部以外の部分からの光漏れがなく且つ明瞭でスムーズなラインで発光させられる、シャープでスマートなデザインの見栄えの良い指針を実現できる、という優れた特性を備えているので、指針１１から漏れた光が表示盤１９を照らすことで生じるハレーションや指針１１先端で点状に光輝するスポット等の現象が生じず、指針１１の発光輝度が高くて指示位置の視認性が良い指示計器１を実現することができる。
【００８５】
− 変形例−
図１２に、この変形例に係る指針１１の図４相当図を示す。
【００８６】
上記実施形態の指針１１では、被覆膜８５が半透過着色層８７及びトップコート層８９によって構成されているとしたが、本変形例の指針１１では、被覆膜８５は、図１２に示すように、半透過着色層８７及びトップコート層８９に加えて、金属光沢層１４１を備える。金属光沢層１４１は、半透過着色層８７とトップコート層８９との間に介在されている。この金属光沢層１４１は、アルミニウムやチタン、ステンレス鋼（ＳＵＳ）、クロム等の金属材料からなり、蒸着やスパッタ等の公知の方法により形成される。
【００８７】
この変形例に係る指針１１によれば、トップコート層８９の内側に金属光沢層１４１を設けるようにしたから、トップコート層８９を透過した光が金属光沢層１４１で反射する作用によりトップコート層８９に金属調の艶を表現することができる。例えば、トップコート層８９をグレー色とした場合、金属光沢層１４１による光反射を以て指針本体６１をガンメタリック調に仕上げることができる。それにより、指針１１に高級感を付与することができる。
【００８８】
以上のように、ここに開示する技術の例示として、好ましい実施形態について説明した。しかし、ここに開示する技術は、これに限定されず、適宜、変更、置き換え、付加、省略などを行った実施の形態にも適用可能である。また、上記実施形態で説明した各構成要素を組み合わせて新たな実施の形態とすることも可能である。また、添付図面及び詳細な説明に記載された構成要素の中には、課題解決のためには必須でない構成要素も含まれ得る。そのため、それらの必須でない構成要素が添付図面や詳細な説明に記載されていることを以て、直ちにそれらの必須でない構成要素が必須であるとの認定をするべきではない。
【００８９】
例えば、上記実施形態について、以下のような構成としてもよい。
【００９０】
上記実施形態では、指針本体６１の延長片６９がテール部３３の表面全体を構成しているとしたが、これに限らない。指針本体６１の延長片６９は、テール部３３の表面を部分的に構成し、ウエイト収容部１１１の表側端面を一部だけ表面に呈していてもよい。そのような構成によっても、ウエイト収容部１１１の表側端面の全体が正面視でそのまま見える場合よりも見栄えを良くできる。
【００９１】
また、上記実施形態では、針状導光体８３がＰＭＭＡからなるとしたが、これに限らない。ＰＭＭＡは針状導光体８３の好ましい材料の一例に過ぎず、透明性を有するものであれば、ポリカーボネート樹脂やその他のアクリル樹脂などを採用することもできる。ＰＭＭＡは、透明度が高い点で有利であるが、耐熱性が比較的低いため、被覆膜８５にホットスタンプ印刷等の加熱を伴う方法で形成される層を含む場合には、耐熱性の高い材料を適宜採用することができる。
【００９２】
また、上記実施形態では、被覆膜８５が半透過着色層８７及びトップコート層８９からなり、半透過着色層８７がプライマー層を兼ねているとした。また、上記変形例では、被覆膜８５が金属光沢層１４１をさらに備えるとしたが、これに限らない。被覆膜８５は、半透過着色層８７とは別個に隣り合う層同士の接着性を向上させるプライマー層を含んでいてもよいし、その他の層を追加で含んでいても構わない。
【００９３】
また、上記実施形態では、半透過着色層８７の色が白色であるとしたが、これに限らない。白色は半透過着色層８７の色の一例に過ぎず、半透過着色層８７は、赤色や緑色などの他の色に着色されていてもよく、トップコート層８９とコントラストを持たせた配色とされていることが好ましい。この半透過着色層８７は、針状導光体８３内で光を指針先端側に向けて好適に導光させる観点から、マンセル表色系における明度が６〜１０に相当する色であることが好ましく、明度が８〜１０に相当する色であることがより好ましい。
【００９４】
また、上記実施形態では、発光部８２を形成するための放光孔９１が指針本体６１の表面部分の長手方向における略全体に亘って一条のスリット状に形成されているとしたが、これに限らない。放光孔９１は、指針本体６１の長手方向において２つ以上に分断されていてもよく、指示部３１のみ等の特定の部位だけに形成されていても構わない。
【００９５】
また、上記実施形態では、本開示の技術に係る指針及びそれを備えた指示計器について自動車に用いられるコンビネーションメータを例に挙げて説明したが、これに限らない。本開示の技術は、船舶や航空機などのその他の乗り物に搭載される計器用指針及びそれを備えた指示計器にも勿論適用することが可能である。
【産業上の利用可能性】
【００９６】
以上説明したように、本開示の技術は、車両や船舶、航空機などの各種乗り物に搭載される計器用指針及びそれを備えた指示計器について有用である。
【符号の説明】
【００９７】
１…指示計器、３…スピードメータ、５…タコメータ、７，８，９…ディスプレイ
１１…計器用指針、１３…目盛、１５…文字、１７…指標、１９…表示盤、
２１…光源、２３…駆動装置、２５…プリント回路基板、２７…ケーシング、
２９…回転基部、３１…指示部、３３…テール部、３５…スピードメータ領域、
３７…タコメータ領域、３９…ディスプレイ配置領域、４１，４３…表示窓、
４５…板材、４７…印刷層、４９…表示盤用の光源、５１…指針用の光源、
５２…貫通孔、５３…回転軸、５５…通孔、５７…制御回路、６１…指針本体、
６３…保持具、６５…基部、６７…表面部分、６９…延長片、７１…ブロック部分、
７２…位置決め突起、７３…受光部、７５…反射面部、７７…平坦面部、
７９…内面、８１…補強リブ、８２…発光部、８３…針状導光体、８５…被覆膜、
８７…半透過着色層、８９…トップコート層、９１…放光孔、９３…凹部、
９５…キャップ、９７…裏面開口、９９…台座部材、１０１…スリット、
１０３…表面開口、１０５…側面開口、１０７…位置決めピン、
１０９…位置決め片、１１１…ウエイト収容部、１１３…差入口、
１１５…バランスウエイト、１１７…位置決め孔、１１９…位置決め凸部、
１２１…傾斜面、１２３…ベース板部、１２５…後側突片、１２７…前側突片、
１３１…開放部、１３３…ピン孔、１３５…嵌入孔、１３６…ボス、
１４１…金属光沢層
【図１】
2019002886.tif 000003
【図２】
2019002886.tif 000004
【図３】
2019002886.tif 000005
【図４】
2019002886.tif 000006
【図５】
2019002886.tif 000007
【図６】
2019002886.tif 000008
【図７】
2019002886.tif 000009
【図８】
2019002886.tif 000010
【図９】
2019002886.tif 000011
【図１０】
2019002886.tif 000012
【図１１】
2019002886.tif 000013
【図１２】
2019002886.tif 000014